(57)【要約】【課題】  不要なデータの消去を確実に実行できるようにすること、及びデータを記録するのに要する時間を短縮できるようにすることの両方を、フラッシュメモリの使用状況に応じて実現できるようにする。【解決手段】  データを記録するためのデータ記録領域と、ファイルシステムの管理領域とを有する記録媒体に前記データを記録するデータ処理装置であって、前記ファイル管理領域を論理的にフォーマットを行う論理フォーマット手段と、前記記憶媒体のデータ記録領域に記録されているデータを電気的に所定サイズ分消去するデータ消去手段と、前記データ消去手段の消去状態に応じて、前記論理フォーマットとデータ記録領域の消去を併せて実行する物理フォーマット手段とを設け、フォーマットを行う際に、ベンチマーク計測を行い物理フォーマットが有効である場合のみ、物理フォーマットを実行するようにする。【選択図】  図４
2006190030.tif 000002
【特許請求の範囲】
【請求項１】
データを記録するためのデータ記録領域と、ファイルシステムの管理領域とを有する記録媒体に前記データを記録するデータ処理装置であって、
前記ファイル管理領域を論理的にフォーマットを行う論理フォーマット手段と、
前記記憶媒体のデータ記録領域に記録されているデータを電気的に所定サイズ分消去するデータ消去手段と、
前記データ消去手段の消去状態に応じて、前記論理フォーマットとデータ記録領域の消去を併せて実行する物理フォーマット手段とを有することを特徴とするデータ処理装置。
【請求項２】
前記データ消去手段の消去状態に応じて、前記論理フォーマット手段または前記物理フォーマット手段のどちらを用いたフォーマットを実行するかを判別するフォーマット判別手段を有することを特徴とする請求項１に記載のデータ処理装置。
【請求項３】
前記データ消去手段の消去時間を計測する消去時間計測手段を有し、
前記フォーマット判別手段は、前記消去時間計測手段による計測結果により消去状態を判断することを特徴とする請求項２に記載のデータ処理装置。
【請求項４】
データを記録するためのデータ記録領域と、ファイルシステムの管理領域とを有する記録媒体に前記データを記録するデータ処理方法であって、
前記ファイル管理領域を論理的にフォーマットを行う論理フォーマット工程と、
前記記憶媒体のデータ記録領域に記録されているデータを電気的に所定サイズ分消去するデータ消去工程と、
前記データ消去工程の消去状態に応じて、前記論理フォーマットとデータ記録領域の消去を併せて実行する物理フォーマット工程とを有することを特徴とするデータ処理方法。
【請求項５】
前記データ消去工程の消去状態に応じて、前記論理フォーマット工程または前記物理フォーマット工程のどちらを用いたフォーマットを実行するかを判別するフォーマット判別工程を有することを特徴とする請求項４に記載のデータ処理方法。
【請求項６】
前記データ消去工程の消去時間を計測する消去時間計測工程を有し、
前記フォーマット判別工程は、前記消去時間計測工程による計測結果により消去状態を判断することを特徴とする請求項５に記載のデータ処理方法。
【請求項７】
データを記録するためのデータ記録領域と、ファイルシステムの管理領域とを有する記録媒体に前記データを記録するデータ処理方法をコンピュータに実行させるプログラムであって、
前記ファイル管理領域を論理的にフォーマットを行う論理フォーマット工程と、
前記記憶媒体のデータ記録領域に記録されているデータを電気的に所定サイズ分消去するデータ消去工程と、
前記データ消去工程の消去状態に応じて、前記論理フォーマットとデータ記録領域の消去を併せて実行する物理フォーマット工程とをコンピュータに実行させることを特徴とするコンピュータプログラム。
【請求項８】
前記請求項７に記載のコンピュータプログラムを記録したことを特徴とするコンピュータ読み取り可能な記録媒体。
【発明の詳細な説明】
【技術分野】
【０００１】
本発明はデータ処理装置及びデータ処理方法に関し、特に、デジタルカメラ等の画像データを処理するデータ記録装置に用いて好適な技術に関する。
【背景技術】
【０００２】
デジタルカメラ等の記録媒体として、コンパクトフラッシュ（登録商標）やSD(Secure Digital)メモリカードといったフラッシュメモリが広く普及している。フラッシュメモリの特徴としては、不揮発性であることや、繰り返しデータの消去、書き込みが行えることが挙げられる。フラッシュメモリにおけるデータの消去、書き込みは、フラッシュメモリを構成しているブロックと呼ばれる、ある一定サイズの単位で実行される。
【０００３】
例えば、既にデータが書き込まれているブロックに対して、データの書き換えを行う場合、一旦、前のデータをブロックサイズ分消去し、全てのデータを電気的にクリアした後に、新しいデータが書き込まれるという処理が行われている。一方で、消去済みのブロックであれば、単に新しいデータをブロックサイズ分書き込むだけでよい。
【０００４】
また、上記のフラッシュメモリでは、パソコン等の様々な情報機器でも使用されるため、一般的にFAT(File Allocation Table)などのファイルシステムが構築されている。そのため、フラッシュメモリはファイルシステムのための管理領域と実際にデータが存在するデータ領域とに論理的に区別することができる。
【０００５】
例えば、デジタルカメラ等で画像データを保存する場合は、前記管理領域にある管理情報からデータ領域の空きを検索し、その空きの部分を使用済みとして記録し、データ領域に実際の画像データを記録するようにしている。
【０００６】
また、保存する場合とは逆に、画像データを削除したりフォーマットしたりする場合は、データ領域中の画像データ自体はそのままで消去されず、管理領域中の画像データが該当する部分、またはフォーマットの場合は全ての部分の使用状況を空きとするだけで処理されることが多い。
【０００７】
このため、例えば、特許文献１でも示されているように、フラッシュメモリの性質上、既にデータが書き込まれているブロックよりも消去済みのブロックに書き込みを行う方が消去を行わない分だけ高速に書き込みを行うことができる。しかしながら、この方法で書き込みを行うと、実際にデータが書き込まれる論理的なデータ領域には、データ削除や、フォーマットを行ったにも拘わらず、以前の画像データが書き込まれていることが多い。
【０００８】
このため、そのような状態のフラッシュメモリに対して、デジタルカメラで連写や高精細な動画像などの高速な書き込みが求められるシチュエーションでは、画像データの記録に多くの時間がかかってしまうという問題点がある。
【０００９】
また、データ領域にデータがそのまま残ってしまっているため、復元ソフトなどを用いることにより、意図していない場面で以前のデータが復元されてしまう可能性があり、データの保護作用という面においても問題があると考えられる。
【００１０】
また、消去処理は容量に比例して時間を要するため、大容量化するフラッシュメモリに対して消去処理を行うと、消去処理自体にも多くの時間を要してしまう。つまり、フラッシュメモリを効率的に利用したり、画像データを保護したりするために、いかに効率的にデータ領域のデータを消去しておくかが大きな課題となっていた。
【００１１】
【特許文献１】特開２００３−２２４８０９号公報
【発明の開示】
【発明が解決しようとする課題】
【００１２】
このような課題を解消するために、上記特許文献１にて提案されている技術では、ファイルシステムの管理領域の空き状況から空きであるデータ領域部分を検索し、その空いている部分をあらかじめ消去しておくといった方法を行っている。しかしながら、論理的な空き部分のサイズと物理的なブロックサイズとの対応が確実に取れているかは完全には保証されていない。
【００１３】
そのため、論理的な空き部分のサイズと物理的なブロックサイズとの対応が万が一取れていない場合には、必要なデータと消去したいデータとが同じブロック上に存在してしまい、消去自体ができないか、または必要なデータまで誤って消去してしまう可能性があった。
【００１４】
また、消去すべき領域が膨大な場合にはユーザへの対応も不十分であった。すなわち、デジタルカメラにおいては、ユーザが撮影したいと思う瞬間にユーザの操作に即座に対応するのが望ましい。しかしながら、データを消去する処理に時間が多くかかってしまうと、ユーザが撮影したいタイミングを逃がしてしまう問題があった。
【００１５】
本発明は、このような問題点にかんがみ、不要なデータの消去を確実に実行できるようにすること、及び画像データを記録するのに要する時間を短縮できるようにすることの両方を、フラッシュメモリの使用状況に応じて実現できるようにすることを目的としている。
【課題を解決するための手段】
【００１６】
本発明のデータ処理装置は、データを記録するためのデータ記録領域と、ファイルシステムの管理領域とを有する記録媒体に前記データを記録するデータ処理装置であって、前記ファイル管理領域を論理的にフォーマットを行う論理フォーマット手段と、前記記憶媒体のデータ記録領域に記録されているデータを電気的に所定サイズ分消去するデータ消去手段と、前記データ消去手段の消去状態に応じて、前記論理フォーマットとデータ記録領域の消去を併せて実行する物理フォーマット手段とを有することを特徴とする。
【００１７】
本発明のデータ処理方法は、データを記録するためのデータ記録領域と、ファイルシステムの管理領域とを有する記録媒体に前記データを記録するデータ処理方法であって、前記ファイル管理領域を論理的にフォーマットを行う論理フォーマット工程と、前記記憶媒体のデータ記録領域に記録されているデータを電気的に所定サイズ分消去するデータ消去工程と、前記データ消去工程の消去状態に応じて、前記論理フォーマットとデータ記録領域の消去を併せて実行する物理フォーマット工程とを有することを特徴とする。
【００１８】
本発明のコンピュータプログラムは、データを記録するためのデータ記録領域と、ファイルシステムの管理領域とを有する記録媒体に前記データを記録するデータ処理方法をコンピュータに実行させるプログラムであって、前記ファイル管理領域を論理的にフォーマットを行う論理フォーマット工程と、前記記憶媒体のデータ記録領域に記録されているデータを電気的に所定サイズ分消去するデータ消去工程と、前記データ消去工程の消去状態に応じて、前記論理フォーマットとデータ記録領域の消去を併せて実行する物理フォーマット工程とをコンピュータに実行させることを特徴とする。
【００１９】
本発明の記録媒体は、前記に記載のコンピュータプログラムを記録したことを特徴とする。
【発明の効果】
【００２０】
本発明によれば、フラッシュメモリを初期化する際に最適なフォーマットを自動的に判別し、前記判別したフォーマットを用いて初期化するようにしたので、必要なデータと消去したいデータとが同じブロック上に存在してしまい、消去自体ができないか、または必要なデータまで誤って消去してしまうことを可及的に防止することができる。また、高速性が求められる場合には、データを記録するのに要する時間を短縮することができる。これにより、例えば、撮像装置に用いた場合における高速連写や、高精細な動画像を高速に書き込む要求にも十分に対応することができる。
【発明を実施するための最良の形態】
【００２１】
（第１の実施の形態）
以下、図面を参照して本発明の実施の形態を説明する。
図１は、本発明の実施の形態の構成を示す図である。図1において、１００はデジタルカメラである。
【００２２】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００２３】
２０は画像処理回路であり、 Ａ／Ｄ変換器１６からのデータ或いはメモリ制御回路２２からのデータに対して所定の画素補間処理や色変換処理を行う。また、画像処理回路２０においては、撮像した画像データを用いて所定の演算処理を行い、得られた演算結果に基づいてシステム制御回路５０が露光制御手段４０、測距制御手段４２に対して制御を行う、TTL（スルー・ザ・レンズ）方式のAF（オートフォーカス）処理、AE（自動露出）処理、EF（フラッシュプリ発光）処理を行っている。さらに、画像処理回路２０においては、撮像した画像データを用いて所定の演算処理を行い、得られた演算結果に基づいてTTL方式のAWB（オートホワイトバランス）処理も行っている。
【００２４】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２５】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。２４は画像表示メモリ、２６はＤ／Ａ変換器、２８はTFT LCD等から成る画像表示部であり、画像表示メモリ２４に書き込まれた表示用の画像データはＤ／Ａ変換器２６を介して画像表示部２８により表示される。
【００２６】
画像表示部２８を用いて撮像した画像データを逐次表示すれば、電子ファインダ機能を実現することが可能である。また、画像表示部２８は、システム制御回路５０の指示により任意に表示をON/OFFすることが可能であり、表示をOFFにした場合にはデジタルカメラ１００の電力消費を大幅に低減することができる。
【００２７】
３０は撮影した静止画像や動画像を格納するためのメモリであり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。
【００２８】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２９】
４０は絞り機能を備えるシャッター１２を制御する露光制御手段であり、フラッシュ４８と連携することによりフラッシュ調光機能も有するものである。
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００３０】
４８はフラッシュであり、AF補助光の投光機能、フラッシュ調光機能も有する。
露光制御手段４０、測距制御手段４２はTTL方式を用いて制御されており、撮像した画像データを画像処理回路２０によって演算した演算結果に基づき、システム制御回路５０が露光制御手段４０、測距制御手段４２に対して制御を行う。
【００３１】
５０はデジタルカメラ１００全体を制御するシステム制御回路、５２はシステム制御回路５０の動作用の定数、変数、プログラム等を記憶するメモリである。
５４はシステム制御回路５０でのプログラムの実行に応じて、文字、画像、音声等を用いて動作状態やメッセージ等を表示する液晶表示装置、スピーカー等の表示部であり、デジタルカメラ１００の操作部近辺の視認し易い位置に単数或いは複数個所設置され、例えばLCDやLED、発音素子等の組み合わせにより構成されている。
【００３２】
また、表示部５４は、その一部の機能が光学ファインダ１０４内に設置されている。表示部５４の表示内容のうち、LCD等に表示するものとしては、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、外部記録媒体２００の着脱状態表示、通信I/F動作表示、日付け・時刻表示等がある。
【００３３】
また、表示部５４の表示内容のうち、光学ファインダ１０４内に表示するものとしては、合焦表示、手振れ警告表示、フラッシュ充電表示、シャッタースピード表示、絞り値表示、露出補正表示等がある。
【００３４】
５６は電気的に消去・記録可能な不揮発性メモリであり、例えばEEPROM等が用いられる。
５８はシステム制御回路５０のからのタイマー計測指示を受けることにより時間計測を行うタイマー制御回路である。
【００３５】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００３６】
ここで、これらの操作手段の具体的な説明を行う。
６０はモードダイアルスイッチで、電源オフ、自動撮影モード、撮影モード、パノラマ撮影モード、再生モード、マルチ画面再生・消去モード、PC接続モード等の各機能モードを切り替え設定することができる。
【００３７】
６２はシャッタースイッチSW1で、不図示のシャッターボタンの操作途中でONとなり、AF（オートフォーカス）処理、AE（自動露出）処理、AWB（オートホワイトバランス）処理、EF（フラッシュプリ発光）処理等の動作開始を指示する。
【００３８】
６４はシャッタースイッチSW2で、不図示のシャッターボタンの操作完了でONとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００に画像データを書き込む記録処理という一連の処理の動作開始を指示する。
【００３９】
６６は画像表示ON/OFFスイッチで、画像表示部２８のON/OFFを設定することができる。この機能により、光学ファインダ１０４を用いて撮影を行う際に、TFT LCD等から成る画像表示部への電流供給を遮断することにより、省電力を図ることが可能となる。
【００４０】
６８はクイックレビューON/OFFスイッチで、撮影直後に撮影した画像データを自動再生するクイックレビュー機能を設定する。なお、本実施の形態では特に、画像表示部２８をOFFとした場合におけるクイックレビュー機能の設定をする機能を備えるものとする。
【００４１】
７０は各種ボタンやタッチパネル等からなる操作部で、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像移動−（マイナス）ボタン、撮影画質選択ボタン、露出補正ボタン、日付/時間設定ボタン、フォーマット操作ボタン等がある。
【００４２】
８０は電源制御手段で、電池検出回路、DC-DCコンバータ、通電するブロックを切り替えるスイッチ回路等により構成されており、電池の装着の有無、電池の種類、電池残量の検出を行い、検出結果及びシステム制御回路５０の指示に基づいてDC-DCコンバータを制御し、必要な電圧を必要な期間、記録媒体を含む各部へ供給する。
【００４３】
８２はコネクタ、８４はコネクタ、８６はアルカリ電池やリチウム電池等の一次電池やNiCd電池やNiMH電池、Li電池等の二次電池、ACアダプター等からなる電源手段である。
９０はメモリカード等の外部記録媒体とデータの送受信を行うカードコントローラ、９１はメモリカード等の外部記録媒体とのインタフェース、９２はメモリカード等の外部記録媒体と接続を行うコネクタ、９８はコネクタ９２に外部記録媒体２００が装着されているか否かを検知する記録媒体着脱検知手段である。
【００４４】
なお、本実施の形態では記録媒体を取り付けるインタフェースやコネクタは、単数或いは複数、いずれの系統数を備える構成としても構わない。また、異なる規格のインタフェース及びコネクタを組み合わせて備える構成としても構わない。インタフェース及びコネクタとしては、PCMCIAカードやCF（コンパクトフラッシュ（登録商標））カード等の規格に準拠したものを用いて構成して構わない。
【００４５】
さらに、インタフェース９１、そしてコネクタ９２をPCMCIAカードやCF（コンパクトフラッシュ（登録商標））カード等の規格に準拠したものを用いて構成した場合、LANカードやモデムカード、USBカード、IEEE1394カード、P1284カード、SCSIカード、PHS等の通信カード、等の各種通信カードを接続することにより、他のコンピュータやプリンタ等の周辺機器との間で画像データや画像データに付属した管理情報を転送し合うことができる。
【００４６】
１０２は、デジタルカメラ１００のレンズ１０を含む撮像部を覆う事により、撮像部の汚れや破損を防止するバリアである保護手段である。１０４は光学ファインダであり、画像表示部２８による電子ファインダ機能を使用することなしに、光学ファインダのみを用いて撮影を行うことが可能である。
【００４７】
また、光学ファインダ１０４内には、表示部５４の一部の機能、例えば、合焦表示、手振れ警告表示、フラッシュ充電表示、シャッタースピード表示、絞り値表示、露出補正表示などが設置されている。２００はメモリカード等の外部記録媒体である。以上がデジタルカメラ１００の全体のシステム構成である。なお、１１０は外部と通信するための通信手段であり、１１２は通信用アンテナを接続するためのコネクタである。
【００４８】
図２は、本実施の形態での外部記録媒体２００内に構築されているファイルシステムの論理的な構成を簡略に示した図である。
図２に示すように、外部記録媒体２００の記憶領域は、ファイルシステムの管理領域２１０とデータ領域２２０とに分けられる。管理領域２１０には、マスターブートレコード(MBR)２１１、ブートセクタ２１２、ファット（FAT：file allocation table）２１３、ルートディレクトリエントリ２１４が含まれている。
【００４９】
マスターブートレコード２１１には、パーティションテーブルが記載されている。パーティションテーブルは、ブートセクタ２１２の位置やデータ領域２２０のサイズなど、パーティションと呼ばれる論理領域を示すテーブルである。
【００５０】
ブートセクタ２１２は、クラスタサイズやファット２１３のサイズなどファイルシステムがデータ領域２２０に置かれたデータを扱うための基本的な情報が記載されている。クラスタとは、データ領域２２０でデータを扱う論理的な最小サイズである。
【００５１】
最後に、ファット２１３は、クラスタを基準として、データ領域２２０中のファイルの位置を示しているテーブルである。ファット２１３を解析することにより、どのクラスタがどのクラスタとどういった順序でファイルを形成しているのか、または、どこのクラスタが未使用なのか(テーブル中では「０」でクリアされているエントリ)といったデータ領域２２０の使用状況を知ることができる。
【００５２】
一般的に、このような外部記録媒体２００に対して、通常の(論理)フォーマットを実行した場合、ファイルシステムの動作としては、外部記録媒体２００のデバイス情報からマスターブートレコード２１１とブートセクタ２１２を再構成し、書き込んだ後にファット２１３の領域とルートディレクトリエントリを「０」でクリアすることで外部記録媒体２００を見かけ上すべて未使用としている。
【００５３】
本実施の形態においては、このようなフォーマットを論理フォーマットと呼ぶこととする。この論理フォーマットは、前述したようにファイルシステムの管理領域２１０のみを書き換えるだけで、データ領域２２０に書かれているデータは、書き換えられることなく以前のデータがそのまま書き込まれている。
【００５４】
これに対して、物理フォーマットと呼ばれるフォーマットが存在する。物理フォーマットとは、ファイルシステムの管理領域２１０の書き換えだけでなく、データ領域２２０に対しても値のクリアを行うフォーマットである。
【００５５】
本実施の形態では、フラッシュメモリを利用した外部記憶媒体２００であるから、本実施の形態での物理フォーマットでは、データ領域２２０の値をクリアする代わりに、データ領域２２０のデータを消去することとする。
【００５６】
本実施の形態のデジタルカメラ１００では、外部記録媒体２００のフォーマットが実行可能であり、フォーマットを選択する際には、図３のようフォーマット用メニューを表示している。
【００５７】
図３のフォーマットメニュー選択時の処理を示したものが図４のフローチャートである。
以下、図４に示す処理について詳細に述べる。
図３に示すようにフォーマットメニューが表示されるとステップＳ４０１でユーザは"フォーマット"、または"キャンセル"を選択することができる。ここで、"キャンセル"が選択された場合、外部記録媒体２００には何も実行されずフォーマットメニューは終了する。
【００５８】
一方、ステップＳ４０１で"フォーマット"が選択（ＯＫ）された場合、ステップＳ４０２に進んで所定の領域Ａを確保する。
次に、ステップＳ４０３に進み、ステップＳ４０２で確保した所定の領域Ａの物理フォーマットを行う。
【００５９】
次に、ステップＳ４０４に進んで所定の領域Ａにデータを書き込む。このデータ書き込み時に、タイマー制御回路５８を用いて第１の速度計測（Ｘ）を行う。次に、ステップＳ４０５に進み、先ほどのデータが書き込まれた領域にデータを上書きする。このデータ上書き時に、タイマー制御回路５８を用いて第２の速度計測（Ｙ）を行う。
【００６０】
次に、ステップＳ４０６に進み、物理フォーマットを用いて行った第１の書き込み速度Ｘが、論理フォーマットを行った上書き時の第２の書き込み速度Ｙよりも十分に速いか判断する。
【００６１】
この判断の結果、十分速ければステップＳ４０８に進み、メディア全体の物理フォーマットを行う。また、ステップＳ４０６の判断の結果、そうでなければステップＳ４０７に進み、論理フォーマットを行う。図５に、フォーマット実行時に表示される画面の一例を示す。
【００６２】
前述したように、本実施の形態によれば、外部記録媒体を初期化する際に最適なフォーマットを自動的に判別し、前記判別したフォーマットを用いて初期化するようにしたので、必要なデータと消去したいデータとが同じブロック上に存在してしまい、消去自体ができないか、または他のデータまで誤って消去してしまうことを可及的に防止することができる。
【００６３】
また、デジタルカメラ１００に取り付けて使用するフラッシュメモリのように、高速性が求められる場合においても、データを記録するのに要する時間を短縮することができる。これにより、例えば、デジタルカメラ１００に用いて高速連写を実行するときや、高精細な動画像を高速に書き込む場合にも十分に対応することができる。
【００６４】
（本発明に係る他の実施の形態）
上述した本発明の実施の形態におけるデータ処理装置を構成する各手段、並びにデータ処理方法の各ステップは、コンピュータのＲＡＭやＲＯＭなどに記憶されたプログラムが動作することによって実現できる。このプログラム及び上記プログラムを記録したコンピュータ読み取り可能な記憶媒体は本発明に含まれる。
【００６５】
また、本発明は、例えば、システム、装置、方法、プログラムもしくは記録媒体等としての実施の形態も可能であり、具体的には、複数の機器から構成されるシステムに適用しても良いし、また、一つの機器からなる装置に適用しても良い。
【００６６】
なお、本発明は、前述した実施の形態の機能を実現するソフトウェアのプログラム（実施の形態では、図４に示すフローチャートに対応したプログラム）を、システムあるいは装置に直接、あるいは遠隔から供給し、そのシステムあるいは装置のコンピュータが前記供給されたプログラムコードを読み出して実行することによっても達成される場合を含む。
【００６７】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００６８】
その場合、プログラムの機能を有していれば、オブジェクトコード、インタプリター（interpreter）により実行されるプログラム、ＯＳに供給するスクリプトデータ等の形態であっても良い。
【００６９】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００７０】
その他、プログラムの供給方法としては、クライアントコンピュータのブラウザを用いてインターネットのホームページに接続し、前記ホームページから本発明のコンピュータプログラムそのもの、もしくは圧縮され自動インストール機能を含むファイルをハードディスク等の記録媒体にダウンロードすることによっても供給できる。
【００７１】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００７２】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００７３】
また、コンピュータが、読み出したプログラムを実行することによって、前述した実施の形態の機能が実現される他、そのプログラムの指示に基づき、コンピュータ上で稼動しているＯＳなどが、実際の処理の一部または全部を行い、その処理によっても前述した実施の形態の機能が実現され得る。
【００７４】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施の形態の機能が実現される。
【図面の簡単な説明】
【００７５】
【図１】本実施の形態でのデジタルカメラのシステム構成の一例を示す構成図である。
【図２】本実施の形態での外部記録媒体における論理的な構成を示す図である。
【図３】本実施の形態でのフォーマットメニュー時に表示される画面を示す図である。
【図４】本実施の形態でのフォーマットメニューでの処理を示すフローチャートである。
【図５】本実施の形態でのフォーマット実行時に表示される画面を示す図である。
【符号の説明】
【００７６】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
５８  タイマー制御回路
６０  モードダイアルスイッチ
６２  シャッタースイッチ
６４  シャッタースイッチ
ＳＷ１  第１のシャッタースイッチ
ＳＷ２  第２のシャッタースイッチ
６６  画像表示ON/OFFスイッチ
６８  クイックレビューON/OFFスイッチ
７０  操作部
８０  電源制御手段
８２  コネクタ
８４  コネクタ
８６  電源手段
９０  カードコントローラ
９１  インタフェース
９２  コネクタ
９８  記録媒体着脱検知手段
１００  デジタルカメラ
１０２  保護手段
１０４  光学ファインダ
２００  外部記録媒体
【図１】
2006190030.tif 000003
【図２】
2006190030.tif 000004
【図３】
2006190030.tif 000005
【図４】
2006190030.tif 000006
【図５】
2006190030.tif 000007